(57)【要約】【課題】回転ダンパーの減衰力をオンオフ制御可能としつつ構造を簡単にし耐久性を向上することが可能な回転ダンパーを提供する。【解決手段】相対回転自在な回転体５及びケース３間に磁束ループＲが通過することで減衰力を発生させる機能性流体Ｆを介在させた減衰力発生部７と、減衰力発生部７に渡って磁束ループＲを発生させるための少なくとも一対の磁極２７ａ及び２７ｂを有する永久磁石９と、減衰力発生部７と永久磁石９との間に配置され、永久磁石９に対して相対的位置を変更することで磁束ループＲが減衰力発生部７に渡る減衰力発生状態と磁束ループＲ’が減衰力発生部７に渡らずにショートする非減衰力発生状態とを切り替える切替部としてのケース本体１３とを備える。【選択図】  図３
2018151001.tif 000002
【特許請求の範囲】
【請求項１】
相対回転自在な内回転部材及び外回転部材間に磁束が通過することで減衰力を発生させる機能性流体を介在させた減衰力発生部と、
前記減衰力発生部に渡って前記磁束を発生させるための少なくとも一対の磁極を有する永久磁石と、
前記減衰力発生部と前記永久磁石との間に配置され、前記永久磁石に対して相対的位置を変更することで前記磁束が前記減衰力発生部に渡る減衰力発生状態と前記磁束が前記減衰力発生部に渡らずにショートする非減衰力発生状態とを切り替える切替部とを備え、
前記切替部は、非磁性体製の磁気遮断部と、該磁気遮断部を挟んで配置された少なくとも一対の磁性体製の磁路形成部とを有し、
前記減衰力発生状態では、前記磁気遮断部が前記一対の磁極間に対向し、且つ前記一対の磁路形成部が前記一対の磁極にそれぞれ対向し、
前記非減衰力発生状態では、前記一対の磁路形成部の何れか一方が前記一対の磁極の双方に対向する、
ことを特徴とする回転ダンパー。
【請求項２】
請求項１記載の回転ダンパーであって、
前記内回転部材は、磁性体製の回転体であり、
前記外回転部材は、前記切替部を一体に有するケースであり、
前記永久磁石は、前記ケース外で前記ケースに対して移動可能に設けられ、
前記切替部は、前記永久磁石の移動により、前記永久磁石に対する相対位置の変更を可能とする、
ことを特徴とする回転ダンパー。
【請求項３】
請求項２記載の回転ダンパーであって、
前記ケースは、前記磁気遮断部と前記磁路形成部とを周方向に交互に配置して形成され、
前記永久磁石は、異なる磁極を周方向に交互に配置し前記ケースの外側に回転自在に嵌合するリング状であり、
前記永久磁石の回転位置に応じて前記減衰力発生状態と前記非減衰力発生状態とを切り替える、
ことを特徴とする回転ダンパー。
【請求項４】
請求項１記載の回転ダンパーであって、
ケース内に回転自在に収容された回転軸を有し、
前記内回転部材は、前記回転軸に固定された磁性体製のインナー板であり、
前記外回転部材は、前記ケースに固定され前記インナー板に相対回転可能なアウター板であり、
前記永久磁石は、前記ケースに対して固定され、
前記切替部は、前記ケースに対して移動可能に設けられ、前記永久磁石に対する前記相対位置の変更を可能とする、
ことを特徴とする回転ダンパー。
【請求項５】
請求項４記載の回転ダンパーであって、
前記ケース外へ突設された軸部を備え、
前記切替部は、前記軸部周りに回転自在に支持された前記磁気遮断部を構成する非磁性体製の切替板に前記磁路形成部を構成する磁性体片を保持し、
前記永久磁石は、前記軸部周りに固定された非磁性体製の磁石保持板に逆向きの極性を有する磁石片を保持し、
前記切替部の回転位置に応じて前記減衰力発生状態と前記非減衰力発生状態とを切り替える、
ことを特徴とする回転ダンパー。
【発明の詳細な説明】
【技術分野】
【０００１】
本発明は、磁性流体や磁気粘性流体等の機能性流体を利用して減衰力のオンオフ制御が可能な回転ダンパーに関する。
【背景技術】
【０００２】
従来の回転ダンパーとしては、例えば特許文献１のように、磁性体のケース内に磁気粘性流体を封入すると共に磁性体の回転板を相対回転自在に収容し、且つ電磁コイルをケース内に備えたものがある。
【０００３】
この回転ダンパーは、電磁コイルの通電によりケース及び回転板間で磁気粘性流体の剪断抵抗による減衰力を得るようになっている。
【０００４】
従って、電磁コイルの通電制御によって減衰力のオンオフを制御することができるが、配線構造が複雑となっていた。また、電磁コイルでの発熱がケース外へ発散し難く、耐久性を損なう問題もあった。
【先行技術文献】
【特許文献】
【０００５】
【特許文献１】特開２０１４−２０５３９号公報
【発明の開示】
【発明が解決しようとする課題】
【０００６】
解決しようとする問題点は、減衰力をオンオフ制御可能とすると、構造が複雑であり、発熱により耐久性を損なう点である。
【課題を解決するための手段】
【０００７】
本発明は、回転ダンパーの減衰力をオンオフ制御可能としつつ構造を簡単にし耐久性を向上するために、相対回転自在な内回転部材及び外回転部材間に磁束が通過することで減衰力を発生させる機能性流体を介在させた減衰力発生部と、前記減衰力発生部に渡って前記磁束を発生させるための少なくとも一対の磁極を有する永久磁石と、前記減衰力発生部と前記永久磁石との間に配置され、前記永久磁石に対して相対的位置を変更することで前記磁束が前記減衰力発生部に渡る減衰力発生状態と前記磁束が前記減衰力発生部に渡らずにショートする非減衰力発生状態とを切り替える切替部とを備え、前記切替部は、非磁性体製の磁気遮断部と、該磁気遮断部を挟んで配置された少なくとも一対の磁性体製の磁路形成部とを有し、前記減衰力発生状態では、前記磁気遮断部が前記一対の磁極間に対向し、且つ前記一対の磁路形成部が前記一対の磁極にそれぞれ対向し、前記非減衰力発生状態では、前記一対の磁路形成部の何れか一方が前記一対の磁極の双方に対向することを回転ダンパーを最も主な特徴とする。
【発明の効果】
【０００８】
本発明の回転ダンパーは、切替部の永久磁石に対する相対位置を変更するだけで、機能性流体による減衰力をオンオフ制御することができ、構造が簡単で、発熱等の問題もなく、耐久性を向上することができる。
【図面の簡単な説明】
【０００９】
【図１】回転ダンパーの平面図である（実施例１）。
【図２】図１のＩＩ−ＩＩ線に係る断面図である（実施例１）。
【図３】図２のＩＩＩ−ＩＩＩ線に係る断面図である（実施例１）。
【図４】図３の要部拡大断面図である（実施例１）。
【図５】回転ダンパーの断面図である（実施例２）。
【図６】図５の回転ダンパーの永久磁石を示す平面図である（実施例２）。
【図７】図５の回転ダンパーの切替部を示す平面図である（実施例２）。
【発明を実施するための形態】
【００１０】
回転ダンパーの減衰力をオンオフ制御可能としつつ構造を簡単にし耐久性を向上するという目的を、永久磁石に対する相対位置を変更することで減衰力をオンオフ可能とする切替部を有する回転ダンパーにより実現した。
【００１１】
すなわち、回転ダンパーは、相対回転自在な内回転部材及び外回転部材間に磁束が通過することで減衰力を発生させる機能性流体を介在させた減衰力発生部と、減衰力発生部に渡って磁束を発生させるための少なくとも一対の磁極を有する永久磁石と、減衰力発生部と永久磁石との間に配置され、永久磁石に対して相対的位置を変更することで磁束が減衰力発生部に渡る減衰力発生状態と磁束が減衰力発生部に渡らずにショートする非減衰力発生状態とを切り替える切替部とを備える。
【００１２】
切替部は、非磁性体製の磁気遮断部と、この磁気遮断部を挟んで配置された少なくとも一対の磁性体製の磁路形成部とを有し、減衰力発生状態では、磁気遮断部が一対の磁極間に対向し、且つ一対の磁路形成部が一対の磁極にそれぞれ対向し、非減衰力発生状態では、一対の磁路形成部の何れか一方が一対の磁極の双方に対向する。
【００１３】
永久磁石及び切替部の構成は、適宜のものを採用することが可能であり、何れか一方が他方に対して相対位置を変更可能に動作すればよい。
【００１４】
永久磁石を移動させる形態として、例えば、内回転部材は、磁性体製の回転体であり、外回転部材は、切替部を一体に有するケースであり、永久磁石は、ケース外でケースに対して移動可能に設けられ、切替部は、永久磁石の移動により、永久磁石に対する相対位置の変更を可能とする構成としてもよい。
【００１５】
この場合、ケースは、磁気遮断部と磁路形成部とを周方向に交互に配置して形成され、永久磁石は、異なる磁極を周方向に交互に配置しケースの外側に回転自在に嵌合するリング状であり、永久磁石の回転位置に応じて減衰力発生状態と非減衰力発生状態とを切り替える構成としてもよい。
【００１６】
一方、切替部を移動させる形態として、ケース内に回転自在に収容された回転軸を有し、内回転部材は、回転軸に固定された磁性体製のインナー板であり、外回転部材は、ケースに固定されインナー板に相対回転可能なアウター板であり、永久磁石は、ケースに対して固定され、切替部は、ケースに対して移動可能に設けられ、永久磁石に対する相対位置の変更を可能とする構成としてもよい。
【００１７】
この場合、ケース外へ突設された軸部を備え、切替部は、軸部周りに回転自在に支持された磁気遮断部を構成する非磁性体製の保持板に磁路形成部を構成する磁性体片を保持し、永久磁石は、軸部周りに固定された非磁性体製の切替板に逆向きの極性を有する磁石片を保持し、切替部の回転位置に応じて減衰力発生状態と非減衰力発生状態とを切り替える構成としてもよい。
【実施例１】
【００１８】
［回転ダンパーの構造］
図１は、本発明の一実施例に係る回転ダンパーの平面図であり、図２は、図１のＩＩ−ＩＩ線に係る断面図、図３は、図２のＩＩＩ−ＩＩＩ線に係る断面図であり、（Ａ）は減衰力発生状態、（Ｂ）は非減衰力発生状態、図４は、図３の要部拡大断面図である。なお、以下において「軸心方向」とは、回転ダンパー（以下、単に「回転ダンパー」と称する）１の回転軸心方向を意味する。また、「径方向」とは、回転ダンパー１の回転半径方向を意味する。また、図３及び図４において、永久磁石９、ケース本体１３の磁路形成部１９、及び回転体５は、明確性の観点からハッチングを付していないが、何れも断面を示す。
【００１９】
本実施例の回転ダンパー１は、例えば図示しない引き戸等の可動側に対する減衰力を生じさせるもので、減衰力を生じさせる減衰力発生状態（オン状態）と減衰力を生じさせない非減衰力発生状態（オフ状態）とを切り替え可能とするものである。
【００２０】
回転ダンパー１は、図１〜図４のように、外回転部材であるケース３と、内回転部材である回転体５と、減衰力発生部７と、永久磁石９とを備えている。
【００２１】
本実施例のケース３は、切替部を一体に有する構成となっている。すなわち、ケース３は、非磁性体製のベース部１１及びベース部１１上の切替部を構成するケース本体１３を有する。
【００２２】
本実施例のベース部１１は、非磁性体製であり、例えば樹脂で形成されている。なお、非磁性体としては、例えば、樹脂以外の非磁性体金属、セラミック等を用いることも可能である。非磁性体金属としては、例えば銅、アルミニウム、ステンレス等がある。
【００２３】
ベース部１１は、板状であり、両端部に設けられた穴部１１ａを介して固定側等に固定される。このベース部１１の端部間の中央部には、ケース本体１３が突設されている。また、ベース部１１は、軸心部に軸１１ｂが一体に設けられている。軸１１ｂは、ベース部１１からケース本体１３内へと突出する。
【００２４】
ケース本体１３は、円筒形状に形成され、ベース部１１と一体の周回壁部１５を備えている。
【００２５】
周回壁部１５は、図３及び図４のように、内周に周方向で所定間隔毎に薄肉化による凹部１７が設けられている。凹部１７内には、磁性体製の壁状の磁路形成部１９が収容されている。本実施例の磁性体は強磁性体である。なお、凹部１７に代えて、周回壁部１５の内外を貫通する貫通孔を設けて磁路形成部１９を保持してもよい。
【００２６】
磁路形成部１９間には、非磁性体製の磁気遮断部２１が配置されている。磁気遮断部２１は、周回壁部１５の薄肉化がなされていない相対的に厚肉の部分からなっている。かかる構成により、本実施例のケース本体１３（ケース３）は、磁気遮断部２１と磁路形成部１９とを周方向に交互に配置して形成されており、隣接する一対の磁路形成部１９は、磁気遮断部２１を挟んで配置された構成となっている。
【００２７】
なお、本実施例では、ケース本体１３の磁気遮断部２１及び磁路形成部１９が周方向の全体にわたって形成されているが、周方向の一部にのみ設けてもよい。この場合、例えば、一つの磁気遮断部２１及びこの磁気遮断部２１を挟んで配置された一対の磁気遮断部２１のみを有する構成とすることも可能である。
【００２８】
ケース本体１３は、図１及び図２のように、軸心方向の一側で開口し、端部開口に蓋部２３が接着、溶着等により一体的に取り付けられている。蓋部２３の軸心部には貫通孔２３ａが形成されている。
【００２９】
回転体５は、磁性体、例えば強磁性体で形成され、円柱状に形成されている。回転体５は、ケース３のケース本体１３内に相対回転可能に配置されている。回転体５とケース３との間は、隙間が確保されている。かかる隙間に機能性流体Ｆが介在して減衰力発生部７を構成する。
【００３０】
回転体５の軸心部には、ケース３の軸１１ａに対応して嵌合孔５ａが形成されている。従って、回転体５は、嵌合孔５ａにおいてケース３の軸１１ａに回転自在に嵌合している。また、回転体５の軸心部には、回転体５と一体回転する回転軸２５が突設されている。回転軸２５は、蓋部２３の貫通孔２３ａからケース３外に突出している。
【００３１】
蓋部２３の貫通孔２３ａには、シール部材２３ｂが支持され、シール部材２３ｂは、回転軸２５に密接している。シール部材２３ｂには、例えばＯリングやＸリングが用いられる。
【００３２】
回転軸２５の外端には、図示しないギアが取り付けられ、ギアを介して可動側からトルクが入力される。
【００３３】
減衰力発生部７は、相対回転自在な内回転部材及び外回転部材であるケース３及び回転体５間に、磁束ループＲが通過することで減衰力を発生させる機能性流体Ｆを介在させたものである。本実施例の減衰力発生部７は、上記のように回転体５とケース３との隙間に介在している。回転体５とケース３との間の隙間は、径方向の隙間と軸心方向の隙間の双方を含む。
【００３４】
機能性流体Ｆとしては、鉄粉等を分散させた磁性流体（Magnetic Fluid）やＭＲ流体と称される磁気粘性流体（Magneto Rheological Fluid）が用いられる。機能性流体Ｆは、ケース３と回転体５との間で後述する磁束ループＲが通過することで鉄粉等によるクラスターを形成し、ケース３及び回転体５間にせん断抵抗による減衰力を発生させる。
【００３５】
永久磁石９は、アルニコ磁石、フェライト磁石、ネオジム磁石等からなる。本実施例の永久磁石９は、図１、図３、及び図４異なる磁極２７ａ及び２７ｂが周方向交互に配置されて、リング状に形成されている。なお、永久磁石９は、磁極２７ａ及び２７ｂの数が周方向で４つずつ、合計８極であるが、磁極２７ａ及び２７ｂの数は、適宜変更が可能である。
【００３６】
この永久磁石９は、内周の嵌合孔９ａがケース本体１３に外側から回転自在に嵌合している。これにより、永久磁石９は、ケース３外でケース３に対して周方向に移動可能となっており、切替部としてのケース本体１３は、永久磁石９の移動により永久磁石９に対する相対位置を変更可能とする。
【００３７】
具体的には、永久磁石９は、ケース本体１３に対して回転し、これによってケース本体１３に対する回転位置を変更することが可能となっている。この回転位置の変更により、ケース本体１３は、永久磁石９に対する相対位置が周方向に変更される。
【００３８】
この回転位置の変更に伴い、減衰力発生状態と非減衰力発生状態を切り替えることができる。
【００３９】
図３（Ａ）及び図４（Ａ）のように、減衰力発生状態では、磁極２７ａ及び２７ｂそれぞれが周方向でケース本体１３の隣接する磁気遮断部２１間に渡って位置する。つまり、各磁気遮断部２１は、隣接する一対の磁極２７ａ及び２７ｂ間に径方向で対向し、磁路形成部１９は、一つの磁極のみに径方向で対向する。
【００４０】
これにより、隣接する磁極２７ａ及び２７ｂは、それぞれ対向するケース本体１３の磁路形成部１９及び回転体５を介して、減衰力発生部７に渡る磁束ループＲを発生させることができる。この磁束ループＲに応じ、減衰力発生部７では、機能性流体Ｆがクラスターを形成し、減衰力を生じさせることになる。
【００４１】
このため、引き戸等の可動側から回転体５に入力されたトルクが、回転ダンパー１の減衰力によって減衰される。
【００４２】
一方、図３（Ｂ）及び図４（Ｂ）のように、非減衰力発生状態では、磁極２７ａ及び２７ｂそれぞれが周方向で磁気遮断部２１を跨いで隣接する一対の磁路形成部１９間に渡って位置する。つまり、磁極２７ａ及び２７ｂは、端部において単一の磁路形成部１９に径方向で対向し、各磁路形成部１９は、隣接する一対の磁極２７ａ及び２７ｂの双方に径方向で対向することになる。
【００４３】
これにより、隣接する磁極２７ａ及び２７ｂは、それらの端部が対向する磁路形成部１９を介して磁束ループＲ’を形成する。つまり、磁束ループＲ’は、減衰力発生部７に渡らずに短絡し、機能性流体Ｆに影響を及ぼすことがなく、減衰力を生じさせることはない。
【００４４】
このため、引き戸等の可動側をフリー状態にしておくことが可能となる。
【００４５】
［実施例１の効果］
本実施例の回転ダンパー１は、相対回転自在な回転体５及びケース３間に磁束ループＲが通過することで減衰力を発生させる機能性流体Ｆを介在させた減衰力発生部７と、減衰力発生部７に渡って磁束ループＲを発生させるための少なくとも一対の磁極２７ａ及び２７ｂを有する永久磁石９と、減衰力発生部７と永久磁石９との間に配置され、永久磁石９に対して相対的位置を変更することで磁束ループＲが減衰力発生部７に渡る減衰力発生状態と磁束ループＲ’が減衰力発生部７に渡らずにショートする非減衰力発生状態とを切り替える切替部としてのケース本体１３とを備える。
【００４６】
ケース本体１３は、非磁性体製の磁気遮断部２１と、磁気遮断部２１を挟んで配置された少なくとも一対の磁性体製の磁路形成部１９とを有し、減衰力発生状態では、磁気遮断部２１が一対の磁極２７ａ及び２７ｂ間に対向し、且つ一対の磁路形成部１９が一対の磁極２７ａ及び２７ｂにそれぞれ対向し、非減衰力発生状態では、一対の磁路形成部１９の何れか一方が一対の磁極２７ａ及び２７ｂの双方に対向する。
【００４７】
従って、本実施例では、切替部であるケース本体１３の永久磁石９に対する相対位置を変更するだけで、機能性流体Ｆによる減衰力をオンオフ制御することができ、構造が簡単で、発熱等の問題もなく、耐久性を向上することができる。
【００４８】
また、本実施例では、ケース３が切替部を一体に有し、永久磁石９がケース３外でケース３に対して移動可能に設けられ、切替部としてのケース本体１３が永久磁石９の移動により永久磁石９に対する相対位置の変更を可能とする。
【００４９】
従って、本実施例では、ケース３に対して永久磁石９を移動させるだけで、より簡単に減衰力をオンオフ制御することができる。
【００５０】
特に、本実施例では、ケース３が磁気遮断部２１と磁路形成部１９とを周方向に交互に配置して形成され、永久磁石９が異なる磁極２７ａ及び２７ｂを周方向に交互に配置し、ケース３の外側に回転自在に嵌合するリング状であり、永久磁石９の回転位置に応じて減衰力をオンオフ制御する。
【００５１】
従って、本実施例では、ケース３に対して永久磁石９を回転させるだけで、永久磁石９を切替ダイヤルとして用いて減衰力のオンオフ制御を極めて簡単に行うことができる。
【００５２】
なお、回転ダンパー１では、ケース３の蓋体２３やベース部１１に減衰力発生状態及び非減衰力発生状態とが分かる目印を設けてもよい。
【実施例２】
【００５３】
図５は、実施例２に係る回転ダンパーの断面図であり、（Ａ）は減衰力発生状態、（Ｂ）は非減衰力発生状態を示す。なお、図５は、図２のＩＩＩ−ＩＩＩ線にかかる断面に対応している。また、実施例２では、実施例１と対応する構成部分に同符号を付して重複した説明を省略する。
【００５４】
本実施例の回転ダンパー１は、切替部２９をケース３とは別体に設け、切替部２９をケース３に対して移動させるようにしたものである。また、本実施例では、ケース３と回転軸２５との間に回転板セット３１を有し、回転板セット３１を構成するインナー板３３及びアウター板３５が相対回転可能な内外回転部材として設けられている。
【００５５】
ケース３は、非磁性体製の中空円筒状のケース本体１３を備え、このケース本体１３が軸心方向の一側が蓋部２３で閉じられると共に軸心方向の他側が磁性体製の仕切板３７により閉じられている。
【００５６】
仕切板３７は、板状体であり、軸心方向の一側において軸心部に凹部３７ａが形成され、軸心方向の他側において軸心部に軸部３７ｂがケース３外に突設されている。
【００５７】
本実施例の仕切板３７は、内外周の中間部に磁気分断部３９ａが介設されている。磁気分断部３９ａは、仕切板３７の内周部及び外周部を磁気的に分断するものである。本実施例において、磁気分断部３９ａは、非磁性体製となっている。なお、磁気分断部３９ａは、仕切板３７の内周部及び外周部を磁気的に分断できればよく、穴（空間部）等であってもよい。
【００５８】
回転軸２５は、非磁性体製であり、軸心方向に伸びる円柱状に形成されている。この回転軸２５は、内端がケース３内で仕切板３７の凹部３７ａに支持され、蓋部２３の貫通孔２３ａを挿通することで、ケース３に対して相対回転自在になっている。この回転軸２５とケース３との間には、回転板セット３１が設けられている。
【００５９】
回転板セット３１は、磁性体製の複数のインナー板３３及び磁性体製の複数のアウター板３５を軸心方向で交互に配置して構成されている。隣接するインナー板３３及びアウター板３５間には、隙間が設けられている。この隙間には、機能性流体Ｆが介在し、減衰力発生部７が構成される。
【００６０】
インナー板３３及びアウター板３５は、それぞれ回転軸２５及びケース３に一体回転可能に固定されている。具体的には、インナー板３３は、内周部分が回転軸２５の外周に固定され、アウター板３５は、外周部分がケース３の内周に支持されている。
【００６１】
インナー板３３及びアウター板３５には、それぞれ磁気分断部３９ｂが設けられている。磁気分断部３９ｂは、インナー板３３及びアウター板３５の内周部及び外周部の中間部に設けられ、全体として軸心方向に沿って整列している。なお、磁気分断部３９ｂは、軸心方向に沿って整列していなくてもよく、回転板セット３１内で磁気回路のショートが無い限り、多少径方向にずれていてもよい。
【００６２】
これら磁気分断部３９ｂは、磁気分断部３９ａと同様、非磁性体製となっているが、穴（空間部）等であってもよい。
【００６３】
かかる回転板セット３１の端部側には、それぞれ端部部材４１及び永久磁石９が配置されている。
【００６４】
端部部材４１は、磁性体製の板状体であり、回転板セット３１の一端部側に配置されている。この端部部材４１は、回転板セット３１の一端部に位置するインナー板３３との間に機能性流体Ｆを介在させる隙間を確保している。この端部部材４１は、径方向において回転板セット３１の一端部のインナー板３３の内周部及び外周部に渡るように延設されている。
【００６５】
なお、端部部材４１は、回転板セット３１の一端部のインナー板３３の内周部及び外周部に渡る形態であれば、板状体に限られるものではない。また、本実施例において回転板セット３１の一端部にインナー板３３が位置しているが、仕様によっては回転ダンパー１の特性に応じてアウター板３５が位置することもあるため、回転板セット３１の一端部に位置するインナー板３３又はアウター板３５の内周部及び外周部に渡るように延設されていればよい。
【００６６】
図６は、永久磁石９を示す平面図である。
【００６７】
永久磁石９は、図５及び図６のように、軸部３７ｂ周りに固定された非磁性体製の磁石保持板４３に、逆向きの極性を有する磁石片４５ａ及び４５ｂを埋め込み状態で保持している。磁石片４５ａ及び４５ｂは、周方向に複数対設けられている。
【００６８】
本実施例では、周方向９０度毎に４対の磁石片４５ａ及び４５ｂが設けられている。なお、磁石片４５ａ及び４５ｂの数は任意に設定することが可能である。
【００６９】
この永久磁石９は、磁石片４５ａ及び４５ｂが切替部２９及び仕切板３７の内周部及び外周部を介して回転板セット３１の内周部及び外周部にそれぞれ対向している。
【００７０】
従って、永久磁石９は、切替部２９の回転位置に応じ、軸心方向の一側において、切替部２９、仕切板３７、回転板セット３１、及び端部部材４１を介して磁石片４５ａ及び４５ｂ間に渡る磁気回路が形成される。
【００７１】
軸心方向の他側において、永久磁石９は、磁性体製の支持板４７により支持されている。支持板４７は、板状に形成され、径方向において永久磁石９の磁石片４５ａ、４５ｂ間に渡る。
【００７２】
従って、永久磁石９は、軸心方向の他側において、支持板４７により磁石片４５ａ、４５ｂ間に渡る磁気回路が形成される。
【００７３】
これら永久磁石９及び支持板４７は、取付フレーム４９を介してケース３に取り付けられている。取付フレーム４９は、周回状に形成されて、内外周に軸心方向に突設された周回壁５１ａ及び５１ｂを有する。周回壁５１ａ及び５１ｂ間には、永久磁石９及び支持板４７を収容する収容凹部５３を有している。
【００７４】
内側の周回壁５１ａは、その内周に支持穴５５を区画し、支持穴５５を介して仕切板３７の軸部３７ｂが挿通して仕切板３７に締結されている。周回壁５１ａの先端は、軸部３７ｂの段部３７ｃに突き当てられている。この段部３７ｃの外周には、切替部２９が回転自在に嵌合している。
【００７５】
図７は、切替部２９を示す平面図である。
【００７６】
切替部２９は、図５及び図７のように、軸部３７ｂ周りに回転自在に支持された磁気遮断部を構成する非磁性体製の切替板５７に、磁路形成部を構成する磁性体片５９を埋め込み状態で保持したものである。磁性体片５９は、周回部５９ａ、放射部５９ｂ、及び島状部５９ｃで構成されている。
【００７７】
周回部５９ａは、周回状に形成されて、永久磁石９の内周側の磁石片４５ａに常に対向する。放射部５９ｂは、周回部５９ａから放射状に突出し、非減衰力発生状態において周回部５９ａと共に永久磁石９の磁石片４５ａ及び４５ｂ間に渡って伸びる。従って、放射部５９ｂは、磁石片４５ａ及び４５ｂに対応し、周方向９０度毎に４本設けられている。
【００７８】
島状部５９ｃは、周回部５９ａ及び放射部５９ｂとは磁気的に分断されており、減衰力発生状態において、外周側の磁石片４５ｂに対向する。従って、減衰力発生状態では、切替部２９の周回部５９ａ及び島状部５９ｃがそれぞれ永久磁石９の磁石片４５ａ及び４５ｂに対向し、永久磁石９の磁石片４５ａ及び４５ｂと仕切板３７の内周部及び外周部との間を磁気的に接続する。
【００７９】
これにより、永久磁石９の磁束ループＲは、軸心方向の一側において、磁石片４５ａ及び４５ｂの一方から回転板セット３１を通って端部部材４１で折り返し、回転板セット３１を取って磁石片４５ａ及び４５ｂの他方に至り、軸心方向の他側において、支持板４７を介して磁石片４５ａ及び４５ｂ間に渡る。従って、磁束ループＲは、減衰力発生部７に渡って形成される。
【００８０】
また、非減衰力発生状態では、切替部２９の周回部５９ａ及び放射部５９ｂが永久磁石９の磁石片４５ａ及び４５ｂ間を磁気的に接続する。
【００８１】
これにより、永久磁石９の磁束ループＲ’は、軸心方向の一側において、切替部２９の磁性体片５９を介して永久磁石９の磁石片４５ａ及び４５ｂ間で短絡し、軸心方向の他側において、支持板４７を介して磁石片４５ａ及び４５ｂ間に渡る。従って、磁束ループＲ’は、減衰力発生部７に渡らず、機能性流体Ｆに影響を及ぼさない。
【００８２】
このため、本実施例においては、切替部２９をケース３に対して周方向に回転させるだけで、実施例１と同様に、機能性流体Ｆによる減衰力をオンオフ制御することができ、構造が簡単で、発熱等の問題もなく、耐久性を向上することができる。
【符号の説明】
【００８３】
１  回転ダンパー
３  ケース（外回転部材）
５  回転体（内回転部材）
７  減衰力発生部
９  永久磁石
１３  ケース本体(切替部)
１９  磁路形成部
２１  磁気遮断部
２９  切替部
３３  インナー板（内回転部材）
３５  アウター板（外回転部材）
４３  磁石保持版
４５ａ、４５ｂ  磁石片
５７  切替板（磁気遮断部）
５９  磁性体片（磁路形成部）
【図１】
2018151001.tif 000003
【図２】
2018151001.tif 000004
【図３】
2018151001.tif 000005
【図４】
2018151001.tif 000006
【図５】
2018151001.tif 000007
【図６】
2018151001.tif 000008
【図７】
2018151001.tif 000009